(57)【要約】【課題】  所持しているＲＦＩＤタグが読み取られたこと、または読み取られようとしていることを検知してその場に応じた対応が取れるようにする。【解決手段】  本体１がリーダ・ライタ３０の読取範囲に入ると、ＲＦＩＤタグ３ａ〜６ａに一斉に給電が行われ、各々が記憶している情報が出力される。これらの情報は受信部１８が受信し、ＣＰＵ１５に供給され、ＣＰＵ１５はこの情報を元にテーブルＴＢＬを参照して報知すべきか決定する。この場合、テーブルＴＢＬに財布４のＲＦＩＤタグ４ａについて報知すべきという情報が設定されていれば、ＣＰＵ１５は発音部２０に発音を行なわせる。これにより、その場の状況に応じた対応をとることができる。例えば、シールドされた収納部から別のＲＦＩＤタグを取り出して読み取りを行わせることなどができる。【選択図】            図２
2006036260.tif 000002
【特許請求の範囲】
【請求項１】
物品を収容することができる収容部と、
前記収容部に収容された物品に付されたＲＦＩＤタグが発信する情報を受信する受信手段と、
前記受信手段が前記情報を受信すると、報知のための報知信号を出力する報知信号出力手段と
を具備することを特徴とするＲＦＩＤタグ用収容装置。
【請求項２】
物品を収容することができる収容部と、
前記収容部に収容された物品に付されたＲＦＩＤタグが発信する情報を受信する受信手段と、
前記収容部に収容されているＲＦＩＤタグが記憶している情報を記憶するとともに、各ＲＦＩＤタグが読み取られた際にそれを報知するか否かを示す情報を記憶する記憶部と、
前記受信手段が前記情報を受信すると、前記記憶部を参照して報知を行うべきか否かを判定し、報知を行うと判定した際には、報知のための報知信号を出力する報知信号出力手段と
を具備することを特徴とするＲＦＩＤタグ用収容装置。
【請求項３】
電波を遮蔽するように構成され、内部に物品を収容する遮蔽収容部と、
前記遮蔽収容部の近傍に設けられ、ＲＦＩＤタグが発信する情報もしくはＲＦＩＤリーダの読み取り信号を受信する受信手段と、
前記受信手段がＲＦＩＤタグから発信された情報を受信した際、あるいはＲＦＩＤリーダの読み取り信号を受信した際に、報知のための報知信号を出力する報知信号出力手段と、
を有することを特徴とするＲＦＩＤタグ用収容装置。
【請求項４】
電波を遮蔽するシールド状態と電波を遮蔽しない非シールド状態のいずれかに切り換えられるとともに、内部に物品を収容する遮蔽切換収容部と、
前記遮蔽切換収容部の近傍に設けられ、ＲＦＩＤタグが発信する情報もしくはＲＦＩＤリーダの読み取り信号を受信する受信手段と、
前記受信手段がＲＦＩＤタグから発信された情報を受信した際、あるいはＲＦＩＤリーダの読み取り信号を受信した際に、報知のための報知信号を出力する報知信号出力手段と、
前記遮蔽切換収容部の状態を切り換える状態切換手段と
を有することを特徴とするＲＦＩＤタグ用収容装置。
【請求項５】
前記遮蔽切換収容部は複数設けられ、前記状態切換手段は前記複数の遮蔽切換収容部のいずれかを選択してその状態を切り換えることを特徴とする請求項４記載のＲＦＩＤタグ用収容装置。
【請求項６】
前記報知信号出力手段から出力された報知信号に基づいて発音、発光、振動の少なくともいずれか一つを行う報知手段を具備することを特徴とする請求項１から５のいずれかに記載のＲＦＩＤタグ用収納装置。
【請求項７】
電波を遮蔽するシールド部材で形成される本体と、
電波を遮蔽するシードル部材で形成され、前記本体に対して着脱自在に設けられる蓋体と、
前記本体の近傍に設けられ、ＲＦＩＤタグが発信する情報もしくはＲＦＩＤリーダの読み取り信号を受信する受信手段と、
前記受信手段がＲＦＩＤタグから発信された情報を受信した際、あるいはＲＦＩＤリーダの読み取り信号を受信した際に、報知のための報知信号を出力する報知信号出力手段と
を有することを特徴とするＲＦＩＤタグ用収容装置。
【請求項８】
電波を遮蔽するシート状の部材で形成され、一方の面が粘着状になっているシールと、
前記シールの近傍に設けられ、ＲＦＩＤタグが発信する情報もしくはＲＦＩＤリーダの読み取り信号を受信する受信手段と、
前記受信手段がＲＦＩＤタグから発信された情報を受信した際、あるいはＲＦＩＤリーダの読み取り信号を受信した際に、報知のための報知信号を出力する報知信号出力手段と
を有することを特徴とするＲＦＩＤタグ収容シール。
【請求項９】
前記受信手段、前記報知信号出力手段は前記シールに取り付けられていることを特徴とする請求項８記載のＲＦＩＤタグ収容シール。
【発明の詳細な説明】
【技術分野】
【０００１】
本発明は、ＲＦＩＤタグの情報が不本意に読みとられることに対して警戒を促すことができるＲＦＩＤタグ用収容装置およびＲＦＩＤタグ収容シールに関する。
【背景技術】
【０００２】
近年、ＲＦＩＤタグ（Radio Frequency IDタグ）は無線ICタグとも呼ばれ、販売管理、在庫管理あるいは物流管理などに広く利用されている。一般に、ＲＦＩＤタグは、情報を記録する小型のICチップと，金属製のアンテナで構成され、ICチップの大きさは0.1ミリ〜数ミリ角のことが多い。一つひとつのものに固有のIDを割り当てることができ、ある程度離れた場所から複数のＲＦＩＤタグに対し、一括してデータの読み書きを行うこともできる。
【０００３】
また、ＲＦＩＤタグは、メモリ、ロジック回路、コイルを備え、無線通信によってデータの読み取りや書き込みができるものが多く、ロジック回路によって、演算、認証、暗号化などの処理もできる。データの読み書きを行う装置は、リーダ・ライタと呼ばれ、通信距離は数ｃｍから数ｍぐらいが可能である。
【０００４】
また、ＲＦＩＤタグは，電池を内蔵するものとしないものがあり、電池を内蔵しないものはリーダからの電波を受信することで給電される。一方、電池を内蔵するものは、ＲＦＩＤタグから能動的に情報を発信することもできる。
【０００５】
上述のように、ＲＦＩＤタグは種々の用途に用いられ、今後もその利用の拡大が見込まれているが、所持している物品に付けられたＲＦＩＤタグの情報が、悪意の第三者に読みとられたとすると、その情報について不本意な取り扱いがなされるおそれが生じる。そこで、ＲＦＩＤタグから不本意にデータが読み出されないようにする装置の開発が臨まれている。
【０００６】
特許文献１に記載の装置では、情報の読み取りを許可するか否かの承認手段が設けられており、この承認手段によって承認がなされた情報だけを読み取り可能にしている。
【特許文献１】特開２００３−１２３０４０号公報
【発明の開示】
【発明が解決しようとする課題】
【０００７】
しかしながら、特許文献１に示される従来装置は、ＲＦＩＤタグそのものに承認手段を設けるため、ＲＦＩＤタグの形状が大きく、価格も高価になってしまうという欠点を有するとともに、承認手段が設けられていない汎用のＲＦＩＤタグについてはデータ漏洩についての警戒を行うことができないという欠点を有している。
【０００８】
本発明は、上述した事情に鑑みてなされたもので、ＲＦＩＤタグ自体にはなんら手を加えることなく、その情報の漏洩を警戒することができるＲＦＩＤタグ収容装置を提供することを目的としている。
【課題を解決するための手段】
【０００９】
上述した課題を解決するために、本発明は、物品を収容することができる収容部と、前記収容部に収容された物品に付されたＲＦＩＤタグが発信する情報を受信する受信手段と、前記受信手段が前記情報を受信すると、報知のための報知信号を出力する報知信号出力手段とを具備することを特徴とする。
【００１０】
また、請求項２に記載の発明においては、物品を収容することができる収容部と、前記収容部に収容された物品に付されたＲＦＩＤタグが発信する情報を受信する受信手段と、前記収容部に収容されているＲＦＩＤタグが記憶している情報を記憶するとともに、各ＲＦＩＤタグが読み取られた際にそれを報知するか否かを示す情報を記憶する記憶部と、前記受信手段が前記情報を受信すると、前記記憶部を参照して報知を行うべきか否かを判定し、報知を行うと判定した際には、報知のための報知信号を出力する報知信号出力手段とを具備することを特徴とする。
【００１１】
また、請求項３に記載の発明においては、電波を遮蔽するように構成され、内部に物品を収容する遮蔽収容部と、前記遮蔽収容部の近傍に設けられ、ＲＦＩＤタグが発信する情報もしくはＲＦＩＤリーダの読み取り信号を受信する受信手段と、前記受信手段がＲＦＩＤタグから発信された情報を受信した際、あるいはＲＦＩＤリーダの読み取り信号を受信した際に、報知のための報知信号を出力する報知信号出力手段とを有することを特徴とする。
【００１２】
また、請求項４に記載の発明においては、電波を遮蔽するシールド状態と電波を遮蔽しない非シールド状態のいずれかに切り換えられるとともに、内部に物品を収容する遮蔽切換収容部と、前記遮蔽切換収容部の近傍に設けられ、ＲＦＩＤタグが発信する情報もしくはＲＦＩＤリーダの読み取り信号を受信する受信手段と、前記受信手段がＲＦＩＤタグから発信された情報を受信した際、あるいはＲＦＩＤリーダの読み取り信号を受信した際に、報知のための報知信号を出力する報知信号出力手段と、前記遮蔽切換収容部の状態を切り換える状態切換手段とを有することを特徴とする。
【００１３】
この場合において、前記遮蔽切換収容部は複数設けられ、前記状態切換手段は前記複数の遮蔽切換収容部のいずれかを選択してその状態を切り換えるようにすると好適である。
【００１４】
また、上記において、前記報知信号出力手段から出力された報知信号に基づいて発音、発光、振動の少なくともいずれか一つを行う報知手段を具備すると好適である。
【００１５】
また、請求項７に記載の発明は、電波を遮蔽するシールド部材で形成される本体と、
電波を遮蔽するシードル部材で形成され、前記本体に対して着脱自在に設けられる蓋体と、前記本体の近傍に設けられ、ＲＦＩＤタグが発信する情報もしくはＲＦＩＤリーダの読み取り信号を受信する受信手段と、前記受信手段がＲＦＩＤタグから発信された情報を受信した際、あるいはＲＦＩＤリーダの読み取り信号を受信した際に、報知のための報知信号を出力する報知信号出力手段とを有することを特徴とする。
【００１６】
また、請求項８に記載の発明は、電波を遮蔽するシート状の部材で形成され、一方の面が粘着状になっているシールと、前記シールの近傍に設けられ、ＲＦＩＤタグが発信する情報もしくはＲＦＩＤリーダの読み取り信号を受信する受信手段と、前記受信手段がＲＦＩＤタグから発信された情報を受信した際、あるいはＲＦＩＤリーダの読み取り信号を受信した際に、報知のための報知信号を出力する報知信号出力手段とを有することを特徴とする。
上記構成において、前記受信手段、前記報知信号出力手段は前記シールに取り付けられていると好適である。
【発明の効果】
【００１７】
本発明によれば、所持しているＲＦＩＤタグが読み取られたこと、あるいは読み取られようとしていることを検知することができ、悪意の第三者による読み取りに対して警戒を行うことができる。
【発明を実施するための最良の形態】
【００１８】
［第１実施形態］
図１は、本発明の第１実施形態の外観を示す概略図である。図において、１はスーツケース型の本体である。本体１は、一般的なスーツケースと同様に、開閉自在になっており、ユーザによって持ち運べるようになっている。本体１の内部には、種々の物品が収容できる収容部２が設けられている。この収容部２には、例えば、靴３，財布４、パスポート５、野菜６など、任意のものが収容される。また、靴３，財布４、パスポート５、野菜６など物品には、ＲＦＩＤタグ３ａ〜ＲＦＩＤタグ６ａが付けられている。
【００１９】
また、１０は本体１の内部に設けられている制御部であり、図２は制御部１０の構成を示すブロック図である。図２において、１５は各部を制御するＣＰＵであり、ＲＯＭ１６内のプログラムに基づいて動作する。１７はＣＰＵ１５のワークエリアとして使用されるＲＡＭであり、その不揮発性エリアにはテーブルＴＢＬ（図３参照）が設けられている。１８は、ＲＦＩＤタグから発信された情報を読みとる受信部であり、読み取った情報はＣＰＵ１５に供給される。
【００２０】
また、受信部１８は、ＲＦＩＤタグに読取信号を出力して、ＲＦＩＤタグに給電を行う機能を有している。また、受信部１８は、ＲＦＩＤタグ用の読取信号の出力をオン、オフできるようになっている。読取信号の出力がオフの場合は、受信部１８はＲＦＩＤタグに給電することはできないが、他のリーダ・ライタからの読取信号によってＲＦＩＤタグが情報を出力した場合は、これを読み取ることができる。
【００２１】
１９はテンキー等を有している操作部であり、ユーザの操作に応じた信号をＣＰＵ１５に出力する。２０は発音部であり、ＣＰＵ１５の制御に基づいて発音する。また、図示の３０は、リーダ・ライタであり、所定の施設などに設置されている。
【００２２】
次に、上記構成による第１実施形態の動作を説明する。まず、ユーザは、受信部１８の読取信号出力機能をオンにし、靴３，財布４、パスポート５、野菜６に取り付けられているＲＦＩＤタグ３ａ，４ａ，５ａ，６ａを順次、受信部１８に読み取らせる。なお、ＲＦＩＤタグ３ａ，４ａ，５ａ，６ａに記憶されている情報が、目視できるように印刷等されている場合には、これを見ながら操作部１９のテンキー等を操作して入力してもよい。また、ユーザは、受信部１８を用いてＲＦＩＤの読み取りを行った後は、受信部１８の読取信号出力機能をオフにする。
【００２３】
上記のようにして、ＲＦＩＤタグ３ａ，４ａ，５ａ，６ａに記憶されている情報は、受信部１８あるいは操作部１９から入力される。そして、入力された情報はテーブルＴＢＬに書き込まれる。図３はその状態を示している。また、ユーザはＲＦＩＤタグの情報が読み込まれるたびに、操作部１９を操作して、そのＲＦＩＤタグの情報がリーダ・ライタによって読み取られた際に、報知をするか否かを書き込む。図３の例では、ＲＦＩＤ４ａとＦＲＩＤ５ａの情報が読み取られた場合に報知を行うように設定されている。
【００２４】
さて、図１に示すリーダ・ライタ３０が悪意の第三者に所有され、本体１を持って歩いているユーザが、リーダ・ライタ３０に近づいたとする。そして、本体１がリーダ・ライタ３０の読取範囲に入ると、ＲＦＩＤタグ３ａ，４ａ，５ａ，６ａに一斉に給電が行われ、各々が記憶している情報が出力される。これらの情報はリーダ・ライタ３０に受信されるとともに、受信部１８にも受信される。
【００２５】
受信部１８が読み取った情報は、ＣＰＵ１５に供給され、ＣＰＵ１５はこの情報を元にテーブルＴＢＬを参照して、報知すべきか否かを判定する。この場合は、財布４のＲＦＩＤタグ４ａと、パスポート５のＲＦＩＤタグ５ａとが報知すべき設定になっているから、ＣＰＵ１５は発音部２０に対して発音をするように指示する。これにより、ユーザは本体１内に入っている物品のＲＦＩＤの情報が読み取られたことを知り、警戒をすることができる。この場合、ユーザがリーダ・ライタ３０を発見することができれば、その持ち主に対して交渉をすることもできる。
【００２６】
一方、ユーザは、空港のゲートなどを通過する際に、ゲートに設置されているリーダ・ライタの読取範囲に入れば、上述の場合と同様にして発音部２０から発音がなされる。しかしながら、ユーザは、空港のゲートを通過するという状況から、空港当局のリーダ・ライタによってＲＦＩＤ情報が正規に読み込まれていると判断し、特に警戒は行わなくてよいことを知る。
【００２７】
このように、ユーザは自分が居る状況が、ＲＦＩＤタグが正規に読み取られる状況か、そうでない状況かを判断することができるから、発音部２０の報音に際して、警戒が必要か不要かを判断することができる。
【００２８】
また、第１実施形態においては、テーブルＴＢＬにおいて、報知が必要か否かを設定することができるから、例えば、収容部２内に野菜５だけが多数収容されている場合は、どのリーダ・ライタに読み込まれても報知は一切なされない。すなわち、ユーザが監視する必要のないセキュリティの低い情報と認識したものについては、テーブルＴＢＬの設定によって報知を行わないようにすることができる。したがって、セキュリティの低いものが、リーダ・ライタに読み取られるごとに報知が行われるという煩わしさを回避することができる。また、テーブルＴＢＬを設けると、収容部２内のＲＦＩＤタグについて報知するか否かを選択できるとともに、仮に、ユーザの近傍に居る人が所持するＲＦＩＤタグが読み取られたとしても、これについては報知されないから、ユーザは自分が所持するＲＦＩＤタグについてだけ監視を行うことができる。
【００２９】
［第２実施形態］
図４は、本発明の第２実施形態の外観を示す斜視図である。図に示す４０は本体であり、二つ折りの定期入れの形状をしている。４１はシールド収容部であり、定期券やクレジットカードの大きさのカードＣが数枚収容可能な収容部を有している。シールド収容部４１の上部は開口しており、この開口部を介して収容部の内のカードの出し入れが可能になっている。４１ａは蓋体であり、シールド収容部４１の上端開口部を覆っている。この蓋体４１ａを上方に持ち上げると、シールド収容部４１の開口部が露出する。このシールド収容部４１は、蓋体４１ａも含めて電磁的なシールド処理がなされている。したがって、このシールド収容部４１に収容されたカードに対しては、外部から電波によるアクセスはできない。
【００３０】
次に、４２は非シールド収容部であり、シールド収容部４１と同様にカードＣが数枚収容できる収納部を有している。また、非シールド収容部４２は上端が開口部４２ａになっており、蓋体は設けられていない。また、非シールド収容部４２の図面正面側には長方形状の開口部が設けられており、収容したカードが見えるようになっている。シールド部４１と非シールド収容部４２とは、図示ように接合されており、接合部４３において折りたためるようになっている。折りたたんだ状態では、シャツや背広の胸ポケットに収容できる大きさになる。
【００３１】
次に、４５はシールド収容部４１の図面正面側の下部に取り付けられているアンテナ部であり、ＲＦＩＤのリーダ・ライタから出力される読取信号を受信する。また、アンテナ部４５の近傍にはマイクロスピーカＳＰが取り付けられている。これらのアンテナ部４５およびマイクロスピーカＳＰは、シールド収容部４１内に設けられた報知回路４６に、シールドされた接続線により接続されている。
【００３２】
報知回路４６の回路構成は、図５に示すようになっている。図５において４６ａはアンテナ部４５が読取信号を受信して励起される起電力を受けると、発電検知信号を生成して出力する発電部である。報知信号生成部４６ｂは、発電部４６ａから発電検知信号を受信すると、マイクロスピーカＳＰを鳴動させるための報知信号を生成する。以上の構成により、本体４０が、リーダ・ライタの読取範囲に入り、その読取信号を受信すると、マイクロスピーカＳＰから報知音が発生される。
【００３３】
次に、第２実施形態における動作を説明する。まず、ユーザは、ＲＦＩＤタグ自体、あるいはＲＦＩＤタグが付けられたカード等をシールド収容部４１に収納する。そして、ユーザが種々の場所に赴くと、その場所にＲＦＩＤ用のリーダ・ライタが設置されていれば、その読取範囲に入った時点で、アンテナ部４５が読取信号を受信し、これにより、発電部４６ａが発電検知信号を発生し、報知信号生成部４６ｂが報知信号生成するから、マイクロスピーカＳＰが報知音を出力する。
【００３４】
これにより、ユーザは、近くにリーダ・ライタがあることを知る。その場所の状況が、例えば、スーパーマーケットのレジ付近、駅の改札付近、あるいは空港のゲート付近などであったときは、ＲＦＩＤタグの読み取りが正規に行われると判断することができる。このような場合には、ユーザはシールド収容部４１内のＲＦＩＤタグやＲＦＩＤタグが付けられたカードＣを取り出して、リーダ・ライタに読み取りを行わせる。また、ユーザは取り出したカードＣを非シールド収容部４２に収容させてもリーダ・ライタに読み取りを行わせることができる。
【００３５】
一方、マイクロスピーカＳＰから報知音が出力された場合でも、その場の状況がＲＦＩＤタグから情報を読み取るのが不適切な場所であるとユーザが判断した場合は、ユーザはシールド収容部４１内のカードを取り出すことなく、報知音を無視する。以上のように、本実施形態のおいては、報知音が出力された時点では、シールド収容部４１内のＲＦＩＤタグは読み取られていないから、大切は個人情報等が読み取られるのを未然に防ぐことができ、しかも、読み取りが必要な状況においては、シールド収容部４１からカードＣを取り出せばよい。
【００３６】
なお、報知信号生成部４６ｂに報知音を停止させるためのスイッチ４８を設け、報知音を認識した後は、このスイッチ４８を押して早期に報知音を止めるようにしてもよい。
【００３７】
なお、上述した実施形態におけるシールド収容部４１は、カード状のものを数枚入れる大きさであったが、シールド収容部４１の大きさはこれに限らず、より大きなものが収納できるようにしてもよい。また、非シールド収容部４２は設けず、報知音が発信された際には、シールド収容部４１からＲＦＩＤタグの付いたものを取り出してリーダ・ライタに読み取らせるようにしてもよい。
【００３８】
［第３実施形態］
図６は、この発明の第３実施形態の外観を示す斜視図である。図において５０はスーツケース状の本体である。本体１には、電磁的にシールドされた直方体状のシールド収容部５１〜５４が設けられている。これらのシールド収容部５１〜５４の図面手前側の面は本体５０の表面に露出している。露出した面にはシャッタ機構５１ａ〜５４ａが設けられており、これらのシャッタ機構５１ａ〜５４ａが開口しているときは、シールド収容部５１〜５４内に物品に出し入れが行えるようになっている。また、シャッタ機構５１ａ〜５４ａが開口しているときは、シールド収容部５１〜５４の内部は開口部を介して外部空間と繋がるので、シールド状態ではなくなる。
【００３９】
図７は本実施形態の回路構成を示すブロック図である。なお、図において前述した図１と対応する部分には同一の符号を付けてその説明を省略する。図７において受信部５６は、本体５０の表面に露出しているアンテナ部５７がＲＦＩＤタグのリーダ・ライタの読取信号を受信すると、検知信号を生成してＣＰＵ１５に出力する。なお、受信部５６は図５に示す発電部４６ａと同様に構成してもよい。
【００４０】
また、ＣＰＵ１５は、操作部１９の操作に応じて、シャッタ機構５１ａ〜５４ａに制御信号を供給し、これらの開閉を制御するようになっている。すなわち、ユーザが操作部１９を操作して、任意のシャッタ機構５１ａ〜５４ａの開閉を指示できるようになっている。
【００４１】
上述した構成を有する本実施形態の動作について説明する。まず、ユーザは、ＲＦＩＤタグ自体、あるいはＲＦＩＤタグが付けられた物品をシールド収容部５１〜５４に収納する。そして、ユーザがＲＦＩＤ用のリーダ・ライタの読取範囲に入ると、アンテナ部５７が読取信号を受信し、これにより、受信部５６が検知信号をＣＰＵ１５に供給する。これにより、ＣＰＵ１５は、発音部２０に発音を行わせる。
【００４２】
発音部２０が発音することにより、ユーザは、近くにリーダ・ライタがあることを知る。その場所の状況が、例えば、スーパーマーケットのレジ付近、駅の改札付近、あるいは空港のゲート付近などであったときは、ＲＦＩＤタグの読み取りが正規に行われると判断することができる。このような場合には、ユーザは状況に対応したＲＦＩＤタグが収容されているシールド収容部５１〜５４のシールド状態を解くために、操作部１９を操作して、シャッタ機構５１ａ〜５４ａのいずれかを開放させる。シャッタ機構が開放されたシールド収容部に収容されている物品に付けられているＲＦＩＤタグは、リーダ・ライタに読み取られる。
【００４３】
一方、発音部２０は発音した場合でも、その場の状況がＲＦＩＤタグから情報を読み取るのが不適切な場所であるとユーザが判断した場合は、ユーザはシャッタ機構５１ａ〜５４ａを開放することをせず、報知音を無視する。
【００４４】
以上のように、本実施形態においては、報知音が出力された時点では、シールド収容部５１〜５４内のＲＦＩＤタグは読み取られていないから、大切は個人情報等が読み取られるのを未然に防ぐことができ、しかも、読取が必要な状況においては、その状況に対応したシールド収容部５１〜５４のシールド状態を開放することができるから、必要なＲＤＩＤタグだけを読取可能にすることができる。
【００４５】
なお、シールド解除の方法は、上述したシャッタ機構に限らない。シールド状態とシールド解除状態が切り換えられれば、どのような手段を用いてもよい。
【００４６】
また、ＲＡＭ１７内の不揮発性領域にテーブルＴＢＬ２を設け、ここにシャッタ機構を指示する情報を書き込んでおき、受信部５６が検知信号を出力した際には、テーブルＴＢＬ２において指示されているシャッタ機構を自動的に開放するほうに構成してもよい。この場合には、例えば、あるエリアにおいては頻繁に読取が行われるＲＦＩＤタグがあるときなどは、そのＲＦＩＤタグを該当するシールド収容部に収容しておけば、報知音が鳴った際にいちいちユーザが操作部１９を操作しなくても、自動的にシールド状態が解放されるので、手間がかからないという利点が得られる。また、シールド収容部を複数設けたが、単一のシールド収容部としてもよい。
【００４７】
［変形例］
以上、本発明の実施形態について説明したが、本発明は上述した実施形態に限定されることなく、他の様々な形態で実施可能である。
【００４８】
（変形例１）
実施形態１において、収容部２に収容された全てのＲＦＩＤタグについて読み取られたことを報知したい場合は、テーブルＴＢＬを無くしてもよい。この場合は、ＣＰＵ１５は受信部１８から読み取り情報が供給されたことを契機にして、発音部２０に報知を行わせればよい。
【００４９】
また、発音の態様は単純な波形による発音でもよく、メロディ音などのように複雑にしてもよい。さらに、ＲＦＩＤタグごとに発音の態様を異ならせてもよい。このようにすると、ユーザは、音を聞くだけで、警戒しなくても良いＲＦＩＤタグと警戒が必要なＲＦＩＤタグとを識別することができる。発音態様をＲＦＩＤごとに変えるのは、例えば、テーブルＴＢＬにどのような発音態様にするかを示す情報をＲＦＩＤタグごとに書き込んでおき、ＣＰＵ１５がテーブルＴＢＬを参照して、該当する発音態様を発音部２０に指示すればよい。
【００５０】
（変形例２）
上述した各実施形態においては、音による報知を行ったが、報知はこれに限らず、ＬＥＤ等を点灯させる光による報知でも、バイブレータを駆動する振動による報知でもよい。要するに、報知手段としては、ユーザに対してＲＦＩＤタグが読み取られた（あるいは読み取られようとしている）ことを認識させることができればよい。
【００５１】
また、報知手段は、ＲＦＩＤタグの収容部とは別体であってもよい。例えば、携帯電話の着信音やバイブレータを報知手段として用いてもよい。この場合には、電波（ブルートゥース等）を用いて報知信号を出力するようにすればよい。携帯電話については、報知信号を受信すると、着信音が鳴動したり、あるいはバイブレータが駆動されたりするように構成する。
【００５２】
（変形例３）
上述した第２、第３の各実施形態においては、リーダ・ライタの読取信号を検出して報知音を鳴らすようにしたが、これに代えて、読み取り自由のダミーのＲＦＩＤタグを非シールド状態で露出させておき、このダミーのＲＦＩＤがリーダ・ライタによって読み取られる際に発信される情報を検知して報知音を出力するように構成してもよい。
【００５３】
（変形例４）
上述した第３実施形態においては、シールド収容部５１〜５４のシャッタ機構５１ａ〜５４ａは自動的に開閉するように構成されていたが、このシャッタ機構５１ａ〜５４ａの手動によって開閉するように構成してもよい。この場合には、ユーザは、操作部１９を用いた開閉指示ではなく、シャッタを直接動かして開閉する。
また、手動によるシールド状態の解除については、種々の構成が考えられる。図８にその一例を示す。図８に示す６０は鞄であり、ポケット部６１を有している。ポケット部６１は、物品を収容する収容部６１ａと収容部６１ａを覆う柔らかい部材（布地やビニール地など）で形成されたカバー６１ｂから成っており、これらはいずれもシールド部材によってシールドされている。収容部６１ａは方形状の空間を有し、その周囲には面ファスナー６２が設けられている。また、カバー６１ｂの周囲にも面ファスナー６３が設けられており、面ファスナー６２と６３が接合することにより、収容部６１ａはカバー６１ｂによって完全にふさがれ、その内部と外部では電波が遮断される。
このポケット部６１の近傍には、アンテナ部４５とマイクロスピーカＳＰが露出して設けられ、また、鞄６０の内部には報知回路４６が設けられている。これらの構成は、図５に示す構成と同様である。
上述した構成においてユーザは、ＲＦＩＤタグまたはＲＦＩＤタグが付けられた物品を収容部６１ａに入れ、カバー６１ｂで覆う。そして、鞄６０がリーダ・ライタの読取範囲に入ると、アンテナ部４５が読取信号を受信してマイクロスピーカＳＰから報知音が出力される。ユーザは、報知音を聞き、その場所が適切な場所であれば、カバー６１ｂを剥がして収容部６１ａを電磁的に露出させ、その内部のＲＦＩＤタグの読み取りを行わせる。報知音が出力されたときの場所が適切でなければ、ユーザはカバー６１ｂを剥がさずに覆ったままにしておく。
【００５４】
（変形例５）
図９に示す７０はアルミ、ジェラルミン等の金属材料で形成されたアタッシュケース状の金属ケースである。金属ケース７０の上部には、アンテナ部４５とマイクロスピーカＳＰが露出して設けられ、また、金属ケース７０の内部には報知回路４６が設けられている。これらの構成は、図５に示す構成と同様である。また、８０は導電性の材料を用いて形成されたシールドシールであり、この例の場合は一辺が５ｃｍ程度の正方形に形成されている。シールドシール８０の裏面は粘着材が塗布されており、金属ケース７０の表面に適宜貼着でき、また、剥離することも自在である。
以上の構成において、ユーザはＲＦＩＤタグが付けられた物品、例えば、カード８５を金属ケース７０の表面にシールドシール８０で覆うように貼り付ける。そして、金属ケース７０がリーダ・ライタの読取範囲に入ると、アンテナ部４５が読取信号を受信してマイクロスピーカＳＰから報知音が出力される。ユーザは、報知音を聞き、その場所が適切な場所であれば、シールドシール８０を剥がしてカード８５を露出させ、カード８５に付けられているＲＦＩＤタグの読み取りを行わせる。一方、報知音が出力されたときの場所が適切でなければ、ユーザはシールドシール８０を剥がさずに覆ったままにしておく。
また、図９に示すように、金属ケース７０に複数のシールドシール８０を貼っても良く、シールドシール８０で貼られるものとしては、ＲＦＩＤタグ８６自体でもよい。
また、金属ケース７０の表面に凹部７０ａを設け、この凹部７０ａをシールドシール８０で覆うようにすれば、多少厚みのある物品であっても収容することができる。また、シールドシール８０の形状や大きさは用途に応じて任意に設定すればよい。さらに、シールドシール８０に色や模様を付けると、報知音がなったときにどのシールドシール８０を剥がせば良いか識別ができて好適である。
また、図１０に示すように、シールドシール８０にアンテナ部４５とマイクロスピーカＳＰと報知回路４６を設けてもよい。この場合においては、金属ケース７０にアンテナ部４５、マイクロスピーカＳＰ、報知回路４６を設けなくてもよいので、汎用の金属ケースを用いることができる。また、アンテナ部４５とマイクロスピーカＳＰと報知回路４６とを報知ユニット９０として構成し、この報知ユニット９０を金属ケース７０に貼着あるいは紐のようなもので取り付けるようにしてもよい。
【図面の簡単な説明】
【００５５】
【図１】本発明の第１実施形態の外観を示す概略図である。
【図２】同実施形態の回路構成を示すブロック図である。
【図３】同実施形態におけるテーブルＴＢＬの記憶内容を示す概念図である。
【図４】本発明の第２実施形態の外観を示す斜視図である。
【図５】同実施形態の報知回路４６の回路構成を示すブロック図である。
【図６】本発明の第３実施形態の外観を示す斜視図である。
【図７】同実施形態の回路構成を示すブロック図である。
【図８】本発明の他の実施形態の外観を示す斜視図である。
【図９】本発明の他の実施形態の外観を示す斜視図である。
【図１０】図９に示す実施形態のシールドシール８０の変形例を示す正面図である。
【図１１】図８に示すアンテナ部４５等の変形例を示す正面図である。
【符号の説明】
【００５６】
２・・・収容部、１５・・・ＣＰＵ（報知信号出力手段）、１８・・・受信部（受信手段）、１９・・・操作部（状態切換手段）、２０・・・発音部（報知手段）、４１・・・シールド収容部（遮蔽収容部）、４５・・・アンテナ部（受信手段）、４６・・・報知回路（受信手段、報知信号出力手段）、５１〜５４・・・シールド収容部（遮蔽切換収容部）、５６・・・受信部（受信手段）、６１ａ・・・収容部（本体）、６１ｂ・・・カバー（蓋体）、８０・・・シールドシール、ＴＢＬ・・・テーブル（記憶部）、ＴＢＬ２・・・テーブル（状態切換手段）
【図１】
2006036260.tif 000003
【図２】
2006036260.tif 000004
【図３】
2006036260.tif 000005
【図４】
2006036260.tif 000006
【図５】
2006036260.tif 000007
【図６】
2006036260.tif 000008
【図７】
2006036260.tif 000009
【図８】
2006036260.tif 000010
【図９】
2006036260.tif 000011
【図１０】
2006036260.tif 000012
【図１１】
2006036260.tif 000013